(57)【要約】【課題】、テレビ番組の再生または録画に関するＧＵＩを適切に表示することができる情報端末を提供する。【解決手段】情報端末２０は、ユーザの操作を受け付けるタッチパネル２２と、表示部２１と、受け付けられた操作に基づいてテレビ番組に関連する記事を表示部２１に表示するための記事情報の要求を送信する端末通信部２４と、制御部２３とを備える。制御部２３は、要求に対する応答に番組特定情報が含まれていると判断した場合、記事に加えて再生アイコン及び予約録画アイコンの少なくとも一方を表示部２１に表示させる。制御部２３は、応答に番組特定情報が含まれていないと判断した場合、表示部２１に、記事に加えて予約録画アイコンを表示させ、再生アイコンを表示させない。【選択図】図３
2020178365.tif 000002
【特許請求の範囲】
【請求項１】
ユーザの操作を受け付ける操作受付部と、
表示部と、
受け付けられた前記操作に基づいてテレビ番組に関連する記事を前記表示部に表示するための記事情報の要求を送信する通信部と、
制御部とを備え、
前記制御部は、
前記要求に対する応答であって前記記事情報が含まれる応答を前記通信部が受信した場合、前記応答に前記テレビ番組を特定するための番組特定情報が含まれているか否かを判断し、
前記応答に前記番組特定情報が含まれていると判断した場合、前記記事に加えて再生アイコン及び予約録画アイコンの少なくとも一方を前記表示部に表示させ、
前記応答に前記番組特定情報が含まれていないと判断した場合、前記表示部に、前記記事に加えて予約録画アイコンを表示させ、再生アイコンを表示させない
情報端末。
【請求項２】
情報端末が実行する表示方法であって、
前記情報端末は、
ユーザの操作を受け付ける操作受付部と、
表示部とを備え、
前記表示方法は、
受け付けられた前記操作に基づいてテレビ番組に関連する記事を前記表示部に表示するための記事情報の要求を送信し、
前記要求に対する応答であって前記記事情報が含まれる応答を受信した場合、前記応答に前記テレビ番組を特定するための番組特定情報が含まれているか否かを判断し、
前記応答に前記番組特定情報が含まれていると判断した場合、前記記事に加えて再生アイコン及び予約録画アイコンの少なくとも一方を前記表示部に表示させ、
前記応答に前記番組特定情報が含まれていないと判断した場合、前記表示部に、前記記事に加えて予約録画アイコンを表示させ、再生アイコンを表示させない
表示方法。
【請求項３】
請求項２に記載の表示方法をコンピュータに実行させるためのプログラム。
【発明の詳細な説明】
【技術分野】
【０００１】
本開示は、録画再生システム、情報端末、送信方法、および、表示方法に関する。
【背景技術】
【０００２】
デジタル放送を受信してハードディスクなどの記録媒体にテレビ番組を録画することができる録画再生装置が広く普及している。また、特許文献１のように、携帯端末から録画再生装置にテレビ番組の録画を指示し、かつ、録画再生装置に録画されたテレビ番組を携帯端末において再生することができるシステムも提案されている。
【先行技術文献】
【特許文献】
【０００３】
【特許文献１】特開２００７−１５１０４２号公報
【発明の概要】
【発明が解決しようとする課題】
【０００４】
本開示は、テレビ番組の再生または録画に関するＧＵＩ（Ｇｒａｐｈｉｃａｌ  Ｕｓｅｒ  Ｉｎｔｅｒｆａｃｅ）を適切に表示することができる情報端末等を提供する。
【課題を解決するための手段】
【０００５】
本開示の情報端末は、ユーザの操作を受け付ける操作受付部と、表示部と、受け付けられた前記操作に基づいてテレビ番組に関連する記事を前記表示部に表示するための記事情報の要求を送信する通信部と、制御部とを備え、前記制御部は、前記要求に対する応答であって前記記事情報が含まれる応答を前記通信部が受信した場合、前記応答に前記テレビ番組を特定するための番組特定情報が含まれているか否かを判断し、前記応答に前記番組特定情報が含まれていると判断した場合、前記記事に加えて再生アイコン及び予約録画アイコンの少なくとも一方を前記表示部に表示させ、前記応答に前記番組特定情報が含まれていないと判断した場合、前記表示部に、前記記事に加えて予約録画アイコンを表示させ、再生アイコンを表示させない。
【発明の効果】
【０００６】
本開示の情報端末は、テレビ番組の再生または録画に関するＧＵＩを適切に表示することが可能である。
【図面の簡単な説明】
【０００７】
【図１】図１は、実施の形態に係る録画再生システムの概要を示す図である。
【図２】図２は、記事と記事の対象となっているテレビ番組を再生または及び録画するためのＧＵＩ（Ｇｒａｐｈｉｃａｌ  Ｕｓｅｒ  Ｉｎｔｅｒｆａｃｅ）とが同時に表示された画像を示す図である。
【図３】図３は、実施の形態に係る録画再生システムの機能構成を示すブロック図である。
【図４】図４は、記事情報のデータ構造を示す模式図である。
【図５】図５は、番組情報のデータ構造を示す模式図である。
【図６】図６は、機器情報のデータ構造を示す模式図である。
【図７】図７は、実施の形態に係る録画再生システムの動作例１のシーケンス図である。
【図８】図８は、実施の形態に係る録画再生システムの動作例２のシーケンス図である。
【図９】図９は、テレビ番組のリストの表示例を示す図である。
【図１０】図１０は、実施の形態に係る録画再生システムの動作例３のシーケンス図である。
【図１１】図１１は、実施の形態に係る録画再生システムの動作例４のシーケンス図である。
【図１２】図１２は、番組紐付けＩＤが付与されていない記事情報のデータ構造を示す模式図である。
【図１３】図１３は、ＩＤ通知情報のデータ構造を示す模式図である。
【図１４】図１４は、実施の形態に係る録画再生システムの動作例５のシーケンス図である。
【図１５】図１５は、実施の形態に係る情報端末のＧＵＩの表示制御のフローチャートである。
【図１６】図１６は、記事と予約録画アイコンとが表示された画像を示す図である。
【図１７】図１７は、記事と再生アイコンとが表示された画像を示す図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。添付図面は、模式図であり、必ずしも厳密に図示されたものではない。また、添付図面において、実質的に同一の構成に対しては同一の符号を付しており、重複する説明は省略または簡略化される場合がある。
【００１０】
（実施の形態）
［録画再生システムの概要］
以下、実施の形態に係る録画再生システムの構成について説明する。図１は、実施の形態に係る録画再生システムの概要を示す図である。
【００１１】
図１に示されるように、録画再生システム１００は、中継サーバ１０と、情報端末２０と、記事配信サーバ３０と、録画再生装置４０とを備える。
【００１２】
録画再生システム１００において、情報端末２０と録画再生装置４０とは、例えば、一のユーザによって所有されている。情報端末２０は、例えば、スマートフォンであり、録画再生装置４０は、例えば、テレビ番組を録画し、かつ、録画したテレビ番組を再生することができるＨＤＤ（Ｈａｒｄ  Ｄｉｓｋ  Ｄｒｉｖｅ）レコーダである。
【００１３】
情報端末２０と録画再生装置４０とは通信ネットワーク５０によって接続されている。このため、ユーザは、外出先で録画再生装置４０によって録画されたテレビ番組を情報端末２０が有する表示部２１に表示させることができる。つまり、ユーザは、外出先で録画再生装置４０に録画されたテレビ番組を情報端末２０において再生することができる。また、ユーザは、情報端末２０と通じて外出先から録画再生装置４０へ録画指示または予約録画指示を行うこともできる。
【００１４】
また、ユーザは、情報端末２０によってインターネット上のニュースサイトにアクセスすることにより、表示部２１にニュース記事を表示することもできる。このようなニュース記事の中には、テレビ番組の宣伝などを目的としたテレビ番組に関連するニュース記事がある。
【００１５】
記事配信サーバ３０は、情報端末２０が有する表示部２１にテレビ番組に関連するニュース記事（以下、単に「記事」と記載する）を表示するための記事情報を配信するサーバである。情報端末２０が備える表示部２１に表示された記事を読んで、当該記事の対象となっているテレビ番組を再生したいユーザは、自身でテレビ番組が録画再生装置４０に記憶されているかを確認した後、別途、録画再生装置４０に再生を指示する操作を行う必要がある。また、記事の対象となっているテレビ番組を録画したいユーザは、テレビ番組の放送時間を特定するなどした後、別途、録画再生装置４０に録画を指示する操作を行う必要がある。
【００１６】
そこで、発明者らは、図２に示されるように、情報端末２０の表示部２１に、記事と記事の対象となっているテレビ番組を再生または録画するためのＧＵＩとを同時に表示する着想を得た。図２は、記事と記事の対象となっているテレビ番組を再生または及び録画するためのＧＵＩとが同時に表示された画像を示す図である。図２において、情報端末２０が有する表示部２１には、通常の記事の画像にＧＵＩが重畳された画像が表示されている。ＧＵＩには、再生アイコン２７と予約録画アイコン２８とが含まれる。
【００１７】
このような画像が表示されれば、ユーザは、記事の表示中にＧＵＩをタッチ操作することにより、簡単にテレビ番組の再生または録画を指示することができる。ユーザは、テレビ番組の放送時間を特定するなどのわずらわしい行動を起こす必要が無くなる。
【００１８】
ところが、一般に、記事配信サーバ３０は、記事情報を管理しているが、テレビ番組の番組情報は管理していない。したがって、情報端末２０がニュース記事を表示するための記事情報を取得するときに、記事情報に対応する番組情報を合わせて取得することは困難である。
【００１９】
そこで、録画再生システム１００においては、番組紐付けＩＤによって、記事情報と番組情報とが対応付けられ、記事情報及び番組情報は両方とも中継サーバ１０において管理されている。また、中継サーバ１０は、情報端末２０のユーザが保有する録画再生装置４０から、当該録画再生装置４０に記憶されたテレビ番組を示す録画番組情報、及び、録画再生装置が受信可能なチャンネル情報を含む機器情報を取得する。
【００２０】
そうすると、中継サーバ１０は、例えば、ニュース記事の対象となっているテレビ番組のうち、情報端末２０のユーザが所有する録画再生装置４０によって再生または録画できるテレビ番組を特定することができる。中継サーバ１０が、特定されたテレビ番組の番組情報と記事情報とを情報端末２０に送信すれば、情報端末２０は、ニュース記事が表示されている間、表示部２１に、ニュース記事に加えて、テレビ番組を再生及び録画を行うためのＧＵＩを表示することができる。
【００２１】
これにより、ユーザは、テレビ番組の放送時間を特定するなどのわずらわしい行動を起こす必要が無くなり、ニュース記事の表示中に簡単に再生または録画を指示することができる。
【００２２】
以下、録画再生システム１００を構成する各装置について、図３を参照しながら詳細に説明する。図３は、録画再生システム１００の機能構成を示すブロック図である。
【００２３】
［中継サーバ］
まず、中継サーバ１０について説明する。中継サーバ１０は、第一サーバ装置の一例であって、番組紐付けＩＤに基づいて、記事情報と番組情報との紐付けを行う装置である。中継サーバ１０は、通信部１１と、情報処理部１２と、記憶部１３とを備える。
【００２４】
通信部１１は、情報端末２０、記事配信サーバ３０、及び、録画再生装置４０と通信を行うための通信回路または通信モジュールである。通信部１１は、情報処理部１２によって制御される。通信部１１は、無線通信を行ってもよいし、有線通信を行ってもよい。また、通信部１１の通信方式は、特に限定されない。通信部１１と情報端末２０との間で行われる通信の通信方式、通信部１１と記事配信サーバ３０との間で行われる通信の通信方式、及び、通信部１１と録画再生装置４０との間で行われる通信の通信方式が異なるような場合、通信部１１は、通信方式の数に対応して複数種類の通信回路または通信モジュールによって構成されてもよい。通信方式は、言い換えれば、通信規格である。
【００２５】
通信部１１は、例えば、情報端末２０が有する表示部２１にテレビ番組に関連する記事を表示するための記事情報であって、記事ＩＤが付与された記事情報を記事配信サーバ３０から取得する。取得された記事情報は、情報処理部１２によって記憶部１３に記憶される。図４は、記事情報のデータ構造を示す模式図である。
【００２６】
図４に示されるように、記事情報には、記事情報を他の記事情報と識別するための記事ＩＤと、記事内容と、作品ＩＤと、番組紐付けＩＤとが含まれる。つまり、記事情報には、番組紐付けＩＤが付与されている。
【００２７】
記事内容は、記事の内容であるテキスト及び写真などを含む画像を表示部２１に表示するための情報である。作品ＩＤは、連続ドラマ等の一連のテレビ番組群に属するテレビ番組に共通して付与されるＩＤであり、記事情報には、記事情報に関連するテレビ番組の作品ＩＤが付与される。
【００２８】
番組紐付けＩＤは、記事情報に対応する番組情報を特定するためのＩＤであり、一の記事情報に含まれる番組紐付けＩＤと同一の番組紐付けＩＤが付与された番組情報は、当該一の記事情報に対応する番組情報となる。番組紐付けＩＤは、例えば、連続ドラマ等の一連のテレビ番組群に属するテレビ番組であっても放送回が異なるのであれば、異なるＩＤが使用される。つまり、番組紐付けＩＤは、作品ＩＤよりもさらに細かくテレビ番組を区別するためのＩＤである。一方で、番組紐付けＩＤは、同じ内容のテレビ番組であって、受信チャンネルが異なる番組、つまり、放送局または放送地域が異なる番組であっても共通のＩＤが使用される。なお、番組紐付けＩＤは、連続ドラマ等の一連のテレビ番組群に属するテレビ番組に共通して１つ付与されてもよい。
【００２９】
また、通信部１１は、テレビ番組の番組情報であって、当該番組情報に対応する記事情報を特定するための番組紐付けＩＤが付与された番組情報を、例えば、中継サーバ１０及び記事配信サーバ３０以外のサーバから取得する。取得された番組情報は、情報処理部１２によって記憶部１３に記憶される。なお、番組情報は、あらかじめ記憶部１３に記憶されていてもよい。図５は、番組情報のデータ構造を示す模式図である。図５に示されるように、番組情報には、番組特定情報と、番組紐付けＩＤとが含まれる。なお、番組情報には、テレビ番組のコンテンツそのもの、すなわち、テレビ番組の動画像データは含まれない。番組情報は、言い換えれば、テレビ番組に関連する番組関連情報である。
【００３０】
番組特定情報は、テレビ番組を個別に特定するための情報であり、受信チャンネルを示す情報、及び、放送時間帯を示す情報などが含まれる。番組特定情報は、同じ内容のテレビ番組であっても、受信チャンネル、つまり、放送局または放送地域が異なるテレビ番組であれば異なる情報である。番組特定情報は、上述の番組紐付けＩＤよりもさらに細かくテレビ番組を区別するための情報である。
【００３１】
番組紐付けＩＤは、番組情報に対応する記事情報を特定するためのＩＤである。上述のように、番組紐付けＩＤは、番組情報だけでなく記事情報にも付与されている。
【００３２】
また、通信部１１は、第一取得部の一例であって、録画再生装置４０から、当該録画再生装置４０に録画されたテレビ番組を示す録画番組情報、及び、録画再生装置が受信可能なチャンネル情報を含む機器情報を取得する。図６は、機器情報のデータ構造を示す模式図である。
【００３３】
図６に示されるように、機器情報には、録画再生装置４０を他の録画再生装置と識別するための機器ＩＤと、録画再生装置４０が設置されている地域を示す地域情報と、録画再生装置４０が受信可能なチャンネルを示す受信ＣＨ情報とが含まれる。また、機器情報には、録画再生装置４０に既に録画されているテレビ番組を示す録画済み番組情報が含まれる。
【００３４】
また、通信部１１は、第二取得部の一例であって、対象の記事ＩＤが指定された要求を、情報端末２０から取得する。
【００３５】
また、通信部１１は、送信部の一例であって、対象の記事ＩＤが指定された要求に応じて、対象の記事ＩＤが付与された記事情報を情報端末２０に送信する。対象の記事ＩＤが付与された記事情報は、情報処理部１２によって選択される。
【００３６】
また、通信部１１は、情報処理部１２によって選択された第二番組情報に対応するテレビ番組及び第三番組情報に対応するテレビ番組の少なくとも一方を特定するための番組特定情報を、情報端末２０に送信する。第二番組情報及び第三番組情報については後述される。
【００３７】
情報処理部１２は、通信部１１の通信制御など、中継サーバ１０における各種制御を行う制御装置である。情報処理部１２は、通信部１１によって取得された、記事情報、番組情報、及び、機器情報のそれぞれを記憶部１３に記憶する処理も行う。情報処理部１２は、具体的には、プロセッサであるが、マイクロコンピュータまたは専用回路などにより実現されてもよい。情報処理部１２は、プロセッサ、マイクロコンピュータ、及び、専用回路のうちの２つ以上の組み合わせによって実現されてもよい。
【００３８】
また、情報処理部１２は、第一選択部の一例であって、通信部１１によって対象の記事ＩＤの要求が取得された場合に、記憶部１３に記憶された番組情報に付与された番組紐付けＩＤを参照することにより、対象の記事ＩＤに対応する第一番組情報を、記憶部１３に記憶された番組情報の中から選択する。情報処理部１２は、具体的には、通信部１１によって対象の記事ＩＤの要求が取得された場合に、記憶部１３に記憶された番組情報のうち、対象の記事情報に付与された番組紐付けＩＤと同じ番組情報ＩＤが付与された番組情報を、第一番組情報として選択する。
【００３９】
また、情報処理部１２は、第二選択部の一例であって、記憶部１３に記憶された機器情報に基づいて、録画再生装置４０によって受信可能な将来放送予定のテレビ番組の第二番組情報、及び、録画再生装置４０に録画されているテレビ番組の第三番組情報の少なくとも一方を、第一番組情報の中から選択する。つまり、情報処理部１２は、第一番組情報の中からさらに番組情報の絞り込みを行う。
【００４０】
また、情報処理部１２は、第三選択部の一例であって、通信部１１によって取得された要求において指定される対象の記事ＩＤに基づいて、記憶部１３に記憶された記事情報の中から対象の記事ＩＤが付与された対象の記事情報を選択する選択処理を行う。
【００４１】
記憶部１３は、情報処理部１２が上述した各種情報処理を行うために実行する制御プログラム、及び、機器情報などが記憶される記憶装置である。また、記憶部１３には、ＩＤ対応情報も記憶されている。録画再生システム１００が複数の情報端末及び複数の録画再生装置を備える場合、情報端末から送信される記事情報の要求には、当該情報端末の機器ＩＤが含まれ、録画再生装置から送信される機器情報には、当該録画再生装置の機器ＩＤが含まれる。上記ＩＤ対応情報は、このような複数の情報端末の機器ＩＤと録画再生装置４０を含む複数の録画再生装置４０の機器ＩＤとの対応関係を示す情報であり、予め記憶部１３に記憶されている。記憶部１３は、具体的には、ＨＤＤまたは半導体メモリなどによって実現される。
【００４２】
また、記憶部１３は、第一記憶部の一例であって、記事情報が記憶される。上述のように、記事情報は、情報端末２０が有する表示部２１にテレビ番組に関連する記事を表示するための情報であり、記事ＩＤが付与されている。記事情報は、例えば、番組紐付けＩＤが付与された状態で記憶部１３に記憶されているが、後述の動作例４及び動作例５で説明されるように、番組紐付けＩＤが付与されていない状態で記憶部１３に記憶されていることもある。
【００４３】
また、記憶部１３は、第二記憶部の一例であって、番組情報が記憶される。番組情報は、テレビ番組の番組情報であって、当該番組情報に対応する記事情報を特定するための番組紐付けＩＤが付与された番組情報である。
【００４４】
［情報端末］
次に、情報端末２０について上記図２及び図３を参照しながら説明する。図２に示されるように、情報端末２０は、具体的には、スマートフォンであり、ユーザは、情報端末２０を用いて録画再生装置４０に録画されたテレビ番組を視聴することができる。また、ユーザは、情報端末２０を用いて録画再生装置４０のテレビ番組の録画を指示することができる。なお、情報端末２０は、表示部２１を有する構成であればよく、タブレット端末などのその他の携帯端末であってもよい。情報端末２０は、表示部２１を有し、中継サーバ１０、記事配信サーバ３０、及び、録画再生装置４０と通信が可能な、パーソナルコンピュータまたはテレビ等であってもよい。
【００４５】
図３に示されるように、情報端末２０は、表示部２１と、タッチパネル２２と、制御部２３と、端末通信部２４と、端末記憶部２５とを備える。
【００４６】
表示部２１は、図２に示されるような、記事の内容にＧＵＩが重畳された画像を表示する。表示部２１は、具体的には、ＬＣＤ（Ｌｉｑｕｉｄ  Ｃｒｙｓｔａｌ  Ｄｉｓｐｌａｙ）または有機ＥＬ（Ｅｌｅｃｔｒｏ  Ｌｕｍｉｎｅｓｃｅｎｃｅ）パネルにより形成された表示パネルと、その駆動回路などからなる。
【００４７】
タッチパネル２２は、操作受付部の一例であって、表示部２１に対向配置され、ユーザの操作を受け付けるユーザインターフェースである。タッチパネル２２は、ユーザのタップ操作、スワイプ操作、及び、フリック操作などを受け付ける。タッチパネル２２は、具体的には、静電容量方式のタッチパネルであるが、抵抗膜方式（感圧式）のタッチパネル等、その他の方式のタッチパネルであってもよい。
【００４８】
制御部２３は、表示部２１に表示される画像の表示制御、及び、端末通信部２４の通信制御などを行う制御装置である。制御部２３は、具体的には、プロセッサであるが、マイクロコンピュータまたは専用回路などにより実現されてもよい。制御部２３は、プロセッサ、マイクロコンピュータ、及び、専用回路のうちの２つ以上の組み合わせによって実現されてもよい。
【００４９】
制御部２３は、例えば、タッチパネル２２によって受け付けられた操作に基づいて、テレビ番組に関連する記事を表示部２１に表示するための記事情報の要求を、端末通信部２４に送信させる。また、制御部２３は、上記記事情報の要求が送信された結果、端末通信部２４によって受信された応答にテレビ番組を特定するための番組特定情報が含まれているか否かを判断する。制御部２３は、判断結果に応じて表示部２１に記事のみを表示させるか、記事に加えて再生アイコン２７及び予約録画アイコン２８の少なくとも一方を表示部２１に表示させるかのいずれかの処理を行う。
【００５０】
また、制御部２３は、例えば、タッチパネル２２が表示部２１に表示された予約録画アイコン２８へのタップ操作を検出したときに、予約録画要求を端末通信部２４に送信させる。また、制御部２３は、タッチパネル２２が表示部２１に表示された再生アイコン２７へのタップ操作を検出したときに、再生の対象となる録画済みのテレビ番組の要求を端末通信部２４に送信させる。以上のような制御部２３の動作の詳細については後述する。
【００５１】
端末通信部２４は、中継サーバ１０、記事配信サーバ３０、及び、録画再生装置４０と通信を行うための通信回路または通信モジュールである。端末通信部２４は、無線通信を行ってもよいし、有線通信を行ってもよい。また、端末通信部２４の通信方式は、特に限定されない。端末通信部２４と中継サーバ１０との間で行われる通信の通信方式、端末通信部２４と記事配信サーバ３０との間で行われる通信の通信方式、及び、端末通信部２４と録画再生装置４０との間で行われる通信の通信方式が異なるような場合、端末通信部２４は、通信方式の数に対応して複数種類の通信回路または通信モジュールによって構成されてもよい。通信方式は、言い換えれば、通信規格である。
【００５２】
端末通信部２４は、例えば、タッチパネル２２によって受け付けられた操作に基づいてテレビ番組に関連する記事を表示部２１に表示するための記事情報の要求を送信する。また、端末通信部２４は、送信した要求に対する応答であって記事情報が含まれる応答を受信する。
【００５３】
また、端末通信部２４は、例えば、制御部２３の制御に基づいて、予約録画要求を送信する。また、端末通信部２４は、制御部２３の制御に基づいて、再生の対象となる録画済みのテレビ番組の要求を送信する。端末通信部２４は、再生の対象となる録画済みのテレビ番組を録画再生装置４０から受信する。
【００５４】
端末記憶部２５は、再生アイコン２７及び予約録画アイコン２８を表示するための画像情報、端末通信部２４によって受信された記事情報、及び、制御部２３上記のような動作を行うために実行する制御プログラムなどが記憶される記憶装置である。端末記憶部２５は、具体的には、半導体メモリなどによって実現される。
【００５５】
［記事配信サーバ］
次に、記事配信サーバ３０について説明する。記事配信サーバ３０は、第二サーバ装置の一例であって、記事情報を配信する装置である。記事配信サーバ３０は、通信部３１と、配信制御部３２と、記事情報記憶部３３とを備える。
【００５６】
通信部３１は、配信制御部３２の制御に基づいて、記事情報を中継サーバ１０に配信する。通信部３１は、中継サーバ１０及び情報端末２０と通信を行うための通信回路または通信モジュールである。通信部３１は、無線通信を行ってもよいし、有線通信を行ってもよい。また、通信部３１の通信方式は、特に限定されない。通信部３１と情報端末２０との間で行われる通信の通信方式、及び、通信部３１と中継サーバ１０との間で行われる通信の通信方式が異なるような場合、通信部３１は、通信方式の数に対応して複数種類の通信回路または通信モジュールによって構成されてもよい。通信方式は、言い換えれば、通信規格である。
【００５７】
配信制御部３２は、記事情報記憶部３３に記憶された記事情報を読み出し、読み出した記事情報を通信部３１に配信させる制御など、記事配信サーバ３０における各種制御を行う制御装置である。配信制御部３２は、具体的には、プロセッサであるが、マイクロコンピュータまたは専用回路などにより実現されてもよい。配信制御部３２は、プロセッサ、マイクロコンピュータ、及び、専用回路のうちの２つ以上の組み合わせによって実現されてもよい。
【００５８】
記事情報記憶部３３は、記事情報、及び、配信制御部３２が通信部３１の制御を行うために実行する制御プログラムなどが記憶される記憶装置である。記事情報記憶部３３は、具体的には、ＨＤＤまたは半導体メモリなどによって実現される。
【００５９】
［録画再生装置］
次に、録画再生装置４０について説明する。録画再生装置４０は、例えば、テレビ番組の録画及び再生を行うＨＤＤレコーダである。録画再生装置４０は、録画再生機能を有するテレビ、または、録画再生機能を有するセットトップボックスなどであってもよい。また、録画再生装置４０は、ＳＤメモリーカードなどの半導体メモリにテレビ番組を録画することができるパーソナルコンピュータなどの機器であってもよい。録画再生装置４０は、通信部４１と、録再制御部４２と、記憶部４３とを備える。
【００６０】
通信部４１は、中継サーバ１０及び情報端末２０と通信を行うための通信回路または通信モジュールである。通信部４１は、無線通信を行ってもよいし、有線通信を行ってもよい。また、通信部４１の通信方式は、特に限定されない。通信部４１と情報端末２０との間で行われる通信の通信方式、及び、通信部４１と中継サーバ１０との間で行われる通信の通信方式が異なるような場合、通信部４１は、通信方式の数に対応して複数種類の通信回路または通信モジュールによって構成されてもよい。通信方式は、言い換えれば、通信規格である。
【００６１】
通信部４１は、例えば、記憶部４３に記憶された機器情報を中継サーバ１０に送信する。また、通信部４１は、情報端末２０の端末通信部２４から予約録画指示を受信する。また、通信部４１は、情報端末２０の端末通信部２４から録画済みのテレビ番組の要求を受信する。通信部４１は、録再制御部４２の制御に基づいて、録画済みのテレビ番組を、情報端末２０の端末通信部２４に送信する。
【００６２】
録再制御部４２は、録画再生装置４０における各種制御を行う制御装置である。録再制御部４２は、具体的には、プロセッサであるが、マイクロコンピュータまたは専用回路などにより実現されてもよい。録再制御部４２は、プロセッサ、マイクロコンピュータ、及び、専用回路のうちの２つ以上の組み合わせによって実現されてもよい。
【００６３】
録再制御部４２は、記憶部４３に記憶された機器情報を読み出し、読み出した機器情報を通信部４１に送信させる。録再制御部４２は、通信部４１が端末通信部２４から予約録画指示を受信した場合に、受信された予約録画指示に応じてテレビ番組を予約録画する。また、録再制御部４２は、通信部４１が情報端末２０の端末通信部２４から録画済みのテレビ番組の要求を受信した場合、録画済みのテレビ番組を、通信部４１に送信させる。
【００６４】
記憶部４３は、機器情報、録画済みのテレビ番組、及び、録再制御部４２が録画制御及び再生制御などを行うために実行する制御プログラムなどが記憶される記憶装置である。記憶部４３は、具体的には、ＨＤＤまたは半導体メモリなどによって実現される。
【００６５】
［録画再生システムの動作例１］
次に、録画再生システム１００の動作例１について説明する。図７は、録画再生システム１００の動作例１のシーケンス図である。動作例１においては、ユーザが情報端末２０の表示部２１に表示された記事に重畳された予約録画アイコン２８をタップ操作することにより、録画再生装置４０に予約録画が指示される。
【００６６】
中継サーバ１０の記憶部１３には、あらかじめ番組情報が記憶されている（Ｓ１１）。上述のように、番組情報は、テレビ番組の番組情報であって、当該番組情報に対応する記事情報を特定するための番組紐付けＩＤが付与された番組情報である。
【００６７】
ここで、録画再生装置４０の通信部４１が機器情報を送信すると（Ｓ１２）、中継サーバ１０の通信部１１は、録画再生装置４０の通信部４１から機器情報を取得し、情報処理部１２は、取得された機器情報を記憶部１３に記憶する（Ｓ１３）。上述のように、機器情報は、録画再生装置４０に録画されたテレビ番組を示す録画番組情報、及び、録画再生装置が受信可能なチャンネル情報を含む。
【００６８】
また、記事配信サーバ３０の通信部３１が記事情報を配信すると（Ｓ１４）、通信部１１は、配信された記事情報を取得し、情報処理部１２は、取得された記事情報を記憶部１３に記憶する（Ｓ１５）。上述のように、記事情報は、情報端末２０が有する表示部２１にテレビ番組に関連する記事を表示するための情報であって、記事ＩＤが付与された情報である。なお、動作例１では、通信部３１によって配信される記事情報には、番組紐付けＩＤが付与されている。このため、記事情報は、番組紐付けＩＤが付与された状態で記憶部１３に記憶されている。
【００６９】
このように、中継サーバ１０の記憶部１３に番組情報、機器情報、及び、記事情報が記憶された状態において、ユーザが情報端末２０のタッチパネル２２にテレビ番組に関連する記事の記事情報の取得操作を行ったとする。タッチパネル２２がこのようなユーザの記事情報の取得操作を受け付けると（Ｓ１６）、制御部２３は、タッチパネル２２によって受け付けられた操作に基づいて、記事情報の要求を、端末通信部２４に送信させる（Ｓ１７）。動作例１では、記事情報の要求は、中継サーバ１０の通信部１１に送信される。この記事情報の要求においては、対象の記事ＩＤが指定されている。
【００７０】
中継サーバ１０の通信部１１によって要求が取得された場合に（Ｓ１８）、情報処理部１２は、取得された要求において指定される対象の記事ＩＤに基づいて、記憶部１３に記憶された記事情報の中から対象の記事ＩＤが付与された対象の記事情報を選択する選択処理を行う（Ｓ１９）。選択処理において、情報処理部１２は、具体的には、記憶部１３に記憶された記事情報のうち、対象の記事情報に付与された記事ＩＤと同じ記事ＩＤが付与された記事情報を選択する。
【００７１】
次に、情報処理部１２は、記憶部１３に記憶された番組情報の中から対象の記事情報に対応する第一番組情報を選択する（Ｓ２０）。情報処理部１２は、記憶部１３に記憶された番組情報に付与された番組紐付けＩＤを参照することにより、対象の記事ＩＤに対応する第一番組情報を、記憶部１３に記憶された番組情報の中から選択する。より具体的には、情報処理部１２は、記憶部１３に記憶された番組情報のうち、対象の記事情報に付与された番組紐付けＩＤと同じ番組情報ＩＤが付与された番組情報を、第一番組情報として選択する。
【００７２】
次に、情報処理部１２は、第一番組情報の中から機器情報に対応する番組情報を選択する（Ｓ２１）。情報処理部１２は、記憶部１３に記憶された機器情報に基づいて、録画再生装置４０によって受信可能な将来放送予定のテレビ番組の第二番組情報、及び、録画再生装置４０に録画されているテレビ番組の第三番組情報の少なくとも一方を、第一番組情報の中から選択する。
【００７３】
動作例１では、第二番組情報及び第三番組情報の両方が選択されるが、第二番組情報及び第三番組情報のいずれか一方のみが選択される場合もある、また、第二番組情報及び第三番組情報のいずれも記憶部１３に記憶された番組情報の中に存在しない場合には、第二番組情報及び第三番組情報のいずれも選択されない。
【００７４】
次に、情報処理部１２は、ステップＳ１９において選択された対象の記事情報、ステップＳ２１において選択された第二番組情報に含まれる番組特定情報、及び、ステップＳ２１において選択された第三番組情報に含まれる番組特定情報を、通信部１１に送信させる。言い換えれば、通信部１１は、対象の記事情報と、選択された第二番組情報に対応するテレビ番組を特定するための番組特定情報、及び、選択された第三番組情報に対応するテレビ番組を特定するための番組特定情報を、情報端末２０に送信する（Ｓ２２）。
【００７５】
情報端末２０の端末通信部２４は、ステップＳ１７において送信した要求に対する応答として、通信部１１によって送信された対象の記事情報及び番組特定情報を受信する（Ｓ２３）。このとき、制御部２３は、応答に番組特定情報が含まれているか否かを判断する。動作例１では、制御部２３は、第二番組情報に対応するテレビ番組を特定するための番組特定情報、及び、第三番組情報に対応するテレビ番組を特定するための番組特定情報の両方が含まれていると判断する。この結果、制御部２３は、対象の記事に再生アイコン２７及び予約録画アイコン２８が重畳された画像を表示部２１に表示させる（Ｓ２４）。つまり、表示部２１には、図２に示されるような画像が表示される。
【００７６】
なお、応答に第二番組情報に対応するテレビ番組を特定するための番組特定情報が含まれ、かつ、第三番組情報に対応するテレビ番組を特定するための番組特定情報が含まれていない場合、制御部２３は、表示部２１に対象の記事に予約録画アイコン２８が重畳され、かつ、再生アイコン２７が重畳されていない画像を表示部２１に表示させる。応答に第三番組情報に対応するテレビ番組を特定するための番組特定情報が含まれ、かつ、第二番組情報に対応するテレビ番組を特定するための番組特定情報が含まれていない場合、制御部２３は、表示部２１に対象の記事に再生アイコン２７が重畳され、かつ、予約録画アイコン２８が重畳されていない画像を表示部２１に表示させる。応答に第二番組情報に対応するテレビ番組を特定するための番組特定情報が含まれておらず、かつ、第三番組情報に対応するテレビ番組を特定するための番組特定情報も含まれていない場合、制御部２３は、再生アイコン２７及び予約録画アイコン２８の両方が重畳されていない対象の記事の画像を表示部２１に表示させる。
【００７７】
ここで、ユーザが情報端末２０の表示部２１に表示された予約録画アイコン２８をタップ操作すると、タッチパネル２２は、予約録画アイコン２８へのタップ操作を受け付け（Ｓ２５）、端末通信部２４は、制御部２３の制御に基づいて予約録画要求を送信する（Ｓ２６）。予約録画要求には、予約録画の対象となるテレビ番組を特定するための番組特定情報が含まれる。
【００７８】
端末通信部２４によって送信された予約録画要求は、中継サーバ１０の通信部１１によって受信され（Ｓ２７）、通信部１１は、さらに、録画再生装置４０の通信部４１に予約録画指示を送信する（Ｓ２８）。予約録画指示には、予約録画の対象となるテレビ番組を特定するための番組特定情報が含まれる。
【００７９】
録画再生装置４０の通信部４１が予約録画指示を受信すると（Ｓ２９）、録再制御部４２は、受信された予約録画指示に含まれる番組特定情報に基づいて、予約録画処理を行う（Ｓ３０）。なお、ステップＳ２６において、端末通信部２４は、制御部２３の制御に基づいて、予約録画要求を録画再生装置４０に直接、予約録画指示として送信してもよい。
【００８０】
以上説明したような動作例１によれば、ユーザは、記事の表示中に簡単に記事に関連する番組の予約録画を録画再生装置４０に指示することができる。つまり、録画再生システム１００においては、テレビ番組に関連する記事が情報端末２０に表示されているときに、情報端末２０から録画再生装置４０への当該テレビ番組の予約録画指示が可能である。
【００８１】
［録画再生システムの動作例２］
以下、録画再生システム１００の動作例２について説明する。図８は、録画再生システム１００の動作例２のシーケンス図である。動作例２においては、ユーザが情報端末２０の表示部２１に表示された記事に重畳された再生アイコン２７をタップ操作することにより、録画再生装置４０に再生の対象となる録画済みのテレビ番組の送信が指示される。
【００８２】
図８のステップＳ１１〜ステップＳ２４までは動作例１と同じ処理が行われるため、説明が省略される。
【００８３】
ステップＳ２４の後、ユーザが情報端末２０の表示部２１に表示された再生アイコン２７をタップ操作すると、タッチパネル２２は、再生アイコン２７へのタップ操作を受け付け（Ｓ３１）、端末通信部２４は、制御部２３の制御に基づいて、再生の対象となる録画済みのテレビ番組の要求を送信する（Ｓ３２）。録画済みのテレビ番組の要求には、再生の対象となるテレビ番組を特定するための番組特定情報が含まれる。
【００８４】
端末通信部２４によって送信された録画済みのテレビ番組の要求は、録画再生装置４０の通信部４１によって受信される（Ｓ３３）。録再制御部４２は、受信された録画済みのテレビ番組の要求に含まれる番組特定情報に基づいて、記憶部４３に記憶された録画済みのテレビ番組を特定し、特定した録画済みのテレビ番組を送信する（Ｓ３４）。送信した録画済みのテレビ番組は、情報端末２０の端末通信部２４によって受信され、制御部２３によって再生される（Ｓ３５）。なお、ステップＳ３２において送信される録画済みのテレビ番組の要求は、中継サーバ１０によって中継されてもよい。
【００８５】
以上説明したような動作例２によれば、ユーザは、記事の表示中に簡単に記事に関連する録画済みのテレビ番組を再生することができる。つまり、録画再生システム１００においては、テレビ番組に関連する記事が情報端末２０に表示されているときに、情報端末２０から録画再生装置４０への当該テレビ番組の再生指示が可能である。
【００８６】
［動作例１及び動作例２の変形例］
以下、動作例１及び動作例２の変形例について説明する。番組紐付けＩＤは、例えば、１つの記事情報に対して１つ付与されるが、１つの記事情報に対し２つ以上付与されてもよい。そうすると、図７のシーケンス図では、ステップＳ２１において複数の第二番組情報が選択され、ステップＳ２２において複数の第二番組情報に対応して複数の番組特定情報が送信される場合がある。
【００８７】
このような場合、情報端末２０の制御部２３は、ステップＳ２５において予約録画アイコン２８への操作がタッチパネル２２によって受け付けられた後、ユーザが予約録画したいテレビ番組を指定できるように、テレビ番組のリストを表示部２１に表示させてもよい。図９は、テレビ番組のリストの表示例を示す図である。
【００８８】
同様に、図８のシーケンス図では、ステップＳ２１において複数の第三番組情報が選択され、ステップＳ２２において複数の第三番組情報に対応して複数の番組特定情報が送信される場合がある。このような場合、情報端末２０の制御部２３は、ステップＳ３１において再生アイコン２７への操作がタッチパネル２２によって受け付けられた後、ユーザが再生したいテレビ番組を指定できるように、テレビ番組のリストを表示部２１に表示させてもよい。
【００８９】
また、図７のシーケンス図のステップＳ２１、及び、図８のシーケンス図のステップＳ２１においては、情報処理部１２は、第一番組情報の中に第二番組情報及び第三番組情報が含まれないと判断することもある。このような場合、ステップＳ２２においては、通信部１１は、例えば、ステップＳ１９において選択された対象の記事情報のみを送信するが、通信部１１は、ステップＳ１９において選択された対象の記事情報を送信しなくてもよい。つまり、中継サーバ１０は、予約録画も再生もできないテレビ番組に関連する記事の提供を停止してもよい。
【００９０】
これにより、再生も予約録画もできないテレビ番組に関連する記事が表示部２１に表示されることが抑制される。
【００９１】
［録画再生システムの動作例３］
以下、録画再生システム１００の動作例３について説明する。図１０は、録画再生システム１００の動作例３のシーケンス図である。動作例３においては、記事情報の選択が記事配信サーバ３０によって行われ、記事情報が記事配信サーバ３０から直接、情報端末２０に提供される。動作例３では、通信部３１が第二取得部の一例となり、配信制御部３２が第三選択部の一例となり、記事情報記憶部３３が第一記憶部の一例となる点が動作例１及び動作例２と異なる。
【００９２】
図１０のステップＳ１１〜ステップＳ１６までは動作例１と同じ処理が行われるため、説明が省略される。なお、動作例３においては、中継サーバ１０の記憶部１３に記事情報は記憶されなくてもよいため、ステップＳ１４及びステップＳ１５は省略されている。
【００９３】
タッチパネル２２がユーザの記事情報の取得操作を受け付けると（Ｓ１６）、制御部２３は、タッチパネル２２によって受け付けられた操作に基づいて、記事情報の要求を、端末通信部２４に送信させる（Ｓ４１）。動作例３では、記事情報の要求は、記事配信サーバ３０の通信部３１に送信される。この記事情報の要求においては、対象の記事ＩＤが指定されている。
【００９４】
通信部３１によって要求が取得された場合（Ｓ４２）、配信制御部３２は、取得された要求において指定される対象の記事ＩＤに基づいて、記事情報記憶部３３に記憶された記事情報の中から対象の記事ＩＤが付与された対象の記事情報を選択する選択処理を行う（Ｓ４３）。
【００９５】
次に、通信部３１は、配信制御部３２の制御に基づいて、選択された対象の記事情報を送信する（Ｓ４４）。送信された対象の記事情報は、情報端末２０の端末通信部２４によって受信される（Ｓ４５）。一方で、通信部３１は、配信制御部３２の制御に基づいて、選択された対象の記事情報に付与されている番組紐付けＩＤを中継サーバ１０に送信する（Ｓ４６）。
【００９６】
番組紐付けＩＤは、通信部１１によって取得され（Ｓ４７）、情報処理部１２は、取得された番組紐付けＩＤに対応する第一番組情報を選択する（Ｓ４８）。情報処理部１２は、記憶部１３に記憶された番組情報に付与された番組紐付けＩＤを参照することにより、対象の記事ＩＤに対応する第一番組情報を、記憶部１３に記憶された番組情報の中から選択する。より具体的には、情報処理部１２は、記憶部１３に記憶された番組情報のうち、対象の記事情報に付与された番組紐付けＩＤと同じ番組情報ＩＤが付与された番組情報を、第一番組情報として選択する。
【００９７】
次に、情報処理部１２は、第一番組情報の中から機器情報に対応する番組情報を選択する（Ｓ４９）。ステップＳ４９における処理は、ステップＳ２１における処理と同様である。
【００９８】
次に、情報処理部１２は、ステップＳ４９において選択された番組情報に対応するテレビ番組を特定するための番組特定情報を、通信部１１に送信させる（Ｓ５０）。言い換えれば、通信部１１は、選択された番組情報に対応するテレビ番組を特定するための番組特定情報を、情報端末２０に送信する。
【００９９】
情報端末２０の端末通信部２４は、通信部１１によって送信された番組特定情報を受信する（Ｓ５１）。制御部２３は、番組特定情報を受信すると、ステップＳ４５において受信された対象の記事情報に基づく対象の記事に、再生アイコン２７及び予約録画アイコン２８が重畳された画像を表示部２１に表示させる（Ｓ５２）。つまり、表示部２１には、図２に示されるような画像が表示される。以降は、図７のステップＳ２５以降の処理、または図８のステップＳ３１以降の処理が行われる。
【０１００】
以上説明したような動作例３によれば、中継サーバ１０への記事情報の記憶処理が省略され、録画再生システム１００の情報処理量を削減することができる。
【０１０１】
［録画再生システムの動作例４］
以下、録画再生システム１００の動作例４について説明する。図１１は、録画再生システム１００の動作例４のシーケンス図である。動作例４では、記事情報には、番組紐付けＩＤが事後的に付与される。例えば、テレビ番組が放送される１週間以上前に記事情報が配信されると、テレビ番組が放送される１週間前の日付になるまで当該記事情報の番組紐付けＩＤが決定されないような場合がある。このような場合は、記事情報に、番組紐付けＩＤが事後的に付与されることにより、ユーザは、番組紐付けＩＤが決定される前であっても、予約録画の指示を行うことができる。
【０１０２】
図１１において、ステップＳ１１〜ステップＳ１９までは動作例１と同じ処理が行われるため、説明が省略される。ただし、ステップＳ１４において配信される記事情報には、番組紐付けＩＤが付与されていない。図１２は、番組紐付けＩＤが付与されていない記事情報のデータ構造を示す模式図である。したがって、ステップＳ１５において、記事情報は、番組紐付けＩＤが付与されていない状態で記憶部１３に記憶される。
【０１０３】
ステップＳ１９において記憶部１３に記憶された記事情報の中から対象の記事ＩＤが付与された対象の記事情報が選択されると、情報処理部１２は、ステップＳ１９において選択された対象の記事情報を、通信部１１に送信させる。言い換えれば、通信部１１は、対象の記事情報を、情報端末２０に送信する（Ｓ６１）。
【０１０４】
情報端末２０の端末通信部２４は、ステップＳ１７において送信した要求に対する応答として、通信部１１によって送信された対象の記事情報を受信する（Ｓ６２）。そして、制御部２３は、応答に番組特定情報が含まれているか否かを判断する。動作例４では、制御部２３は、応答に番組特定情報が含まれていないと判断する。このような場合、制御部２３は、対象の記事情報が、事後的に番組紐付けＩＤが付与される記事情報、つまり、将来放送されるテレビ番組に関連する記事情報であるとみなして、対象の記事に予約録画アイコン２８が重畳された画像を表示部２１に表示させる（Ｓ６３）。
【０１０５】
ここで、ユーザが情報端末２０の表示部２１に表示された記事に重畳された予約録画アイコン２８をタップ操作すると、タッチパネル２２は、予約録画アイコン２８へのタップ操作を受け付け（Ｓ６４）、端末通信部２４は、制御部２３の制御に基づいて予約録画要求を送信する（Ｓ６５）。この場合、予約録画要求には、番組特定情報は含まれない。端末通信部２４によって送信された予約録画要求は、中継サーバ１０の通信部１１によって受信される（Ｓ６６）。このように、動作例４では、通信部１１は、ステップＳ６１において対象の記事情報が情報端末２０に送信された後、対象の記事情報に関連するテレビ番組の予約録画要求を情報端末２０から取得する。
【０１０６】
その後、対象の記事情報に関連するテレビ番組の放送日が近づくと、記事配信サーバ３０の配信制御部３２は、通信部３１にＩＤ通知情報を送信させる（Ｓ６７）。送信されたＩＤ通知情報は、中継サーバ１０の通信部１１によって取得される（Ｓ６８）。つまり、通信部１１は、通信部１１によって対象の記事情報が送信された後、対象の記事情報の番組紐付けＩＤを通知するＩＤ通知情報を取得する第三取得部として機能する。図１３は、ＩＤ通知情報のデータ構造を示す模式図である。
【０１０７】
図１３に示されるように、ＩＤ通知情報には、作品ＩＤと番組紐付けＩＤとが含まれる。一方で、図１２に示されるように、記事情報にも作品ＩＤが付与されている。したがって、情報処理部１２は、作品ＩＤに基づいて、対象の記事情報に番組紐付けＩＤを付与することにより、対象の記事情報を更新することができる（Ｓ６９）。言い換えれば、情報処理部１２は、ステップＳ６８において取得されたＩＤ通知情報に基づいて、記憶部１３に記憶された対象の記事情報を、番組紐付けＩＤが付与された状態に更新する更新部として機能する。
【０１０８】
なお、ＩＤ通知情報には、作品ＩＤに代えて、または作品ＩＤに加えて記事ＩＤが含まれてもよい。この場合、情報処理部１２は、記事ＩＤに基づいて、対象の記事情報に番組紐付けＩＤを付与することにより、対象の記事情報を更新することができる。
【０１０９】
対象の記事情報が更新されると、情報処理部１２は、記憶部１３に記憶された番組情報のうち、ＩＤ通知情報によって通知された対象の記事情報の番組紐付けＩＤと同じ番組情報ＩＤが付与された番組情報を、第一番組情報として選択する（Ｓ２０）。
【０１１０】
次に、情報処理部１２は、第一番組情報の中から機器情報に対応する番組情報を選択する（Ｓ２１）。情報処理部１２は、記憶部１３に記憶された機器情報に基づいて、録画再生装置４０によって受信可能な将来放送予定のテレビ番組の第二番組情報を、第一番組情報の中から選択する。
【０１１１】
次に、通信部１１は、ステップＳ２１において選択された第二番組情報に対応するテレビ番組を特定するための番組特定情報を含む予約録画指示を、録画再生装置４０の通信部４１に送信する（Ｓ２８）。つまり、場合、通信部１１は、第二番組情報に対応するテレビ番組を特定するための番組特定情報を録画再生装置４０に送信することにより、当該テレビ番組の予約録画を録画再生装置４０に指示する。
【０１１２】
録画再生装置４０の通信部４１が予約録画指示を受信すると（Ｓ２９）、録再制御部４２は、受信された予約録画指示に含まれる番組特定情報に基づいて、予約録画処理を行う（Ｓ３０）。
【０１１３】
以上説明したような動作例４によれば、ユーザは、放送予定がかなり先のテレビ番組であっても、当該テレビ番組に関連する記事に重畳された予約録画アイコン２８へ操作を行うことにより、予約録画の指示を行うことができる。つまり、録画再生システム１００においては、放送予定がかなり先のテレビ番組に関連する記事が情報端末２０に表示されているときに、情報端末２０から録画再生装置４０への当該テレビ番組の再生指示が可能である。
【０１１４】
［録画再生システムの動作例５］
以下、録画再生システム１００の動作例５について説明する。図１４は、録画再生システム１００の動作例５のシーケンス図である。動作例４で説明されたＩＤ通知情報のデータ構造は、一例である。動作例５では、事後的に番組紐付けＩＤが付与された記事情報がＩＤ通知情報として使用される。
【０１１５】
図１４において、ステップＳ１１〜ステップＳ６６までは動作例４と同じ処理が行われるため、説明が省略される。
【０１１６】
端末通信部２４によって送信された予約録画要求が中継サーバ１０の通信部１１によって受信された後（Ｓ６６）、対象の記事情報に関連するテレビ番組の放送日が近づくと、記事配信サーバ３０の配信制御部３２は、記事情報記憶部３３内の対象の記事情報に番組紐付けＩＤを付与することにより、対象の記事情報を更新する（Ｓ７１）。そして、通信部３１は、配信制御部３２の制御に基づいて、更新後の記事情報をＩＤ通知情報として送信する（Ｓ７２）。この場合、ＩＤ通知情報は、番組紐付けＩＤが付与された、更新後の対象の記事情報である。
【０１１７】
送信された更新後の対象の記事情報は、中継サーバ１０の通信部１１によって取得され、情報処理部１２によって記憶部１３に記憶される（Ｓ７３）。更新後の対象の記事情報が記憶されると、情報処理部１２は、記憶部１３に記憶された番組情報のうち、更新後の記事情報によって定まる対象の記事情報の番組紐付けＩＤと同じ番組情報ＩＤが付与された番組情報を、第一番組情報として選択する（Ｓ２０）。以降の処理は動作例４と同様である。
【０１１８】
以上説明したような動作例５によれば、ユーザは、放送予定がかなり先のテレビ番組であっても、当該テレビ番組に関連する記事に重畳された予約録画アイコン２８へ操作を行うことにより、予約録画の指示を行うことができる。
【０１１９】
［動作例４及び動作例５の変形例］
動作例４及び動作例５においては、制御部２３は、応答に番組特定情報が含まれていない場合、受信した対象の記事情報が、将来放送されるテレビ番組に関連する記事情報であるとみなす。しかしながら、応答に番組特定情報が含まれていない場合には、対象の記事情報に関連するテレビ番組が録画再生装置４０によっては予約録画も再生もできない場合が含まれる。したがって、これらを区別するために、対象の記事情報に関連するテレビ番組が録画再生装置４０によっては予約録画も再生もできない場合には、通信部１１は、対象の記事情報に加えて、対象の記事情報に関連するテレビ番組が録画再生装置４０によっては予約録画も再生もできないことを示すエラー情報を情報端末２０に送信してもよい。この場合、端末通信部２４によってエラー情報が受信されると、制御部２３は、再生アイコン２７及び予約録画アイコン２８の両方を表示部２１に表示させない。
【０１２０】
これにより、情報端末２０は、受信した対象の記事情報が、将来放送されるテレビ番組に関連する記事情報であるか、当該対象の記事情報に関連するテレビ番組が録画再生装置４０によっては予約録画も再生もできないかを区別して、適切にＧＵＩを表示することができる。
【０１２１】
［情報端末の動作］
上述のように、情報端末２０は、記事情報の要求に対する応答を取得すると、応答に基づいてＧＵＩの表示制御を行う。以下、このような情報端末２０のＧＵＩの表示制御についてフローチャートを参照しながら説明する。図１５は、情報端末２０のＧＵＩの表示制御のフローチャートである。
【０１２２】
まず、端末通信部２４は、テレビ番組に関連する記事を表示部に表示するための記事情報の要求に対する応答を受信する（Ｓ８１）。応答には、少なくとも記事情報が含まれる。上述のように、記事情報は、テレビ番組に関連する記事を表示部２１に表示するための情報である。
【０１２３】
次に、制御部２３は、ステップＳ８１において受信された応答に番組特定情報が含まれているか否かを判断する（Ｓ８２）。上述のように、番組情報は、記事情報に関連するテレビ番組を特定するための情報である。
【０１２４】
制御部２３は、ステップＳ８１において受信された応答に番組特定情報が含まれていないと判断した場合（Ｓ８２でＮｏ）、図１６に示されるように、表示部２１に、記事に加えて予約録画アイコン２８を表示させ、再生アイコン２７を表示させない（Ｓ８３）。図１６は、記事と予約録画アイコン２８とが表示された画像を示す図である。なぜなら、動作例４及び動作例５のように、放送予定がかなり先のテレビ番組に関連する記事の記事情報を含む応答には、番組特定情報が含まれていないからである。
【０１２５】
一方、制御部２３は、ステップＳ８１において受信された応答に番組特定情報が含まれていると判断した場合（Ｓ８２でＹｅｓ）、番組特定情報によって特定されるテレビ番組が過去に放送されたテレビ番組であるときには、記事に加えて再生アイコン２７を表示部２１に表示させ、番組特定情報によって特定されるテレビ番組が将来放送予定のテレビ番組であるときには、記事に加えて予約録画アイコン２８を表示部２１に表示させる。
【０１２６】
制御部２３は、具体的には、ステップＳ８１において受信された応答に番組特定情報が含まれていると判断した場合（Ｓ８２でＹｅｓ）、応答に第二番組情報に対応するテレビ番組の番組特定情報が含まれているかを判断する（Ｓ８４）。上述のように、第二番組情報は、録画再生装置４０によって受信可能な将来放送予定のテレビ番組の番組情報である。つまり、ステップＳ８４においては、番組特定情報によって特定されるテレビ番組に、将来放送予定のテレビ番組が含まれているか否かが判断される。
【０１２７】
ステップＳ８４において、制御部２３が応答に第二番組情報に対応するテレビ番組の番組特定情報が含まれていないと判断した場合（Ｓ８４でＮｏ）、応答には、第三番組情報に対応するテレビ番組の番組特定情報のみが含まれる。上述のように、第三番組情報は、録画再生装置４０に既に録画されているテレビ番組の番組情報である。したがって、図１７に示されるように、制御部２３は、記事に加えて再生アイコン２７を表示部２１に表示させ、予約録画アイコン２８を表示させない（Ｓ８５）。図１７は、記事と再生アイコン２７とが表示された画像を示す図である。
【０１２８】
ステップＳ８４において、制御部２３が応答に第二番組情報に対応するテレビ番組の番組特定情報が含まれていると判断した場合（Ｓ８４でＹｅｓ）、制御部２３は、さらに、応答に第三番組情報に対応するテレビ番組の番組特定情報が含まれているかを判断する（Ｓ８６）。
【０１２９】
ステップＳ８６において、制御部２３が応答に第三番組情報に対応するテレビ番組の番組特定情報が含まれていないと判断した場合（Ｓ８６でＮｏ）、応答には、第二番組情報に対応するテレビ番組の番組特定情報のみが含まれる。したがって、図１６に示されるように、制御部２３は、表示部２１に、記事に加えて予約録画アイコン２８を表示させ、再生アイコン２７を表示させない（Ｓ８３）。
【０１３０】
ステップＳ８６において、制御部２３が応答に第三番組情報に対応するテレビ番組の番組特定情報が含まれていると判断した場合（Ｓ８６でＹｅｓ）、応答には、第二番組情報に対応するテレビ番組の番組特定情報と第三番組情報に対応するテレビ番組の番組特定情報とが両方含まれる。したがって、図２に示されるように、制御部２３は、記事に加えて再生アイコン２７及び予約録画アイコン２８の両方を表示部２１に表示させる（Ｓ８７）。
【０１３１】
以上のような、情報端末２０が実行する番組特定情報を用いた表示制御によれば、再生可能なテレビ番組の有無、及び、予約録画可能なテレビ番組の有無に基づいて適切にＧＵＩを表示することができる。
【０１３２】
なお、応答に含まれる番組特定情報が第二番組情報に対応するテレビ番組を特定するためのものであるか第三番組情報に対応するテレビ番組を特定するためのものであるかは、例えば、番組特定情報にフラグが含まれれば判断可能である。また、番組特定情報に放送時間帯を示す情報が含まれれば、制御部２３は、情報端末２０が備えるタイマ部（図示せず）によって計測される現在時刻情報と、放送時間帯を示す情報とを比較することにより、応答に含まれる番組特定情報が将来放送予定の第二番組情報に対応するテレビ番組を特定するものであるか既に録画済みの第三番組情報に対応するテレビ番組を特定するためのものであるかを判断できる。
【０１３３】
［効果等］
以上説明したように、録画再生システム１００は、ユーザの情報端末２０が有する表示部２１にテレビ番組に関連する記事を表示するための記事情報であって、記事ＩＤが付与された記事情報が記憶された記憶部１３と、テレビ番組の番組情報であって、当該番組情報に対応する記事情報を特定するための番組紐付けＩＤが付与された番組情報が記憶された記憶部１３と、ユーザの録画再生装置４０から、当該録画再生装置４０に録画されたテレビ番組を示す録画番組情報、及び、録画再生装置が受信可能なチャンネル情報を含む機器情報を取得する通信部１１と、対象の記事ＩＤが指定された要求を、情報端末２０から取得する通信部１１と、要求が取得された場合に、記憶部１３に記憶された番組情報に付与された番組紐付けＩＤを参照することにより、対象の記事ＩＤに対応する第一番組情報を、記憶部１３に記憶された番組情報の中から選択する情報処理部１２と、機器情報に基づいて、録画再生装置４０によって受信可能な将来放送予定のテレビ番組の第二番組情報、及び、録画再生装置４０に録画されているテレビ番組の第三番組情報の少なくとも一方を、第一番組情報の中から選択する情報処理部１２と、選択された第二番組情報に対応するテレビ番組及び第三番組情報に対応するテレビ番組の少なくとも一方を特定するための番組特定情報を、情報端末２０または録画再生装置４０に送信する通信部１１とを備える。記憶部１３は、第一記憶部及び第二記憶部の一例であり、通信部１１は、第一取得部、第二取得部、及び、送信部の一例であり、情報処理部１２は、第一選択部及び第二選択部の一例である。
【０１３４】
これにより、情報端末２０及び録画再生装置４０のユーザは、情報端末２０の表示部２１に対象の記事を表示するための操作により、対象の記事に関連するテレビ番組を簡単に再生または予約録画することができる。つまり、録画再生システム１００においては、テレビ番組に関連する記事が情報端末２０に表示されているときに、情報端末２０から録画再生装置４０への当該テレビ番組の予約録画指示が可能である。
【０１３５】
また、動作例１及び２のように、録画再生システム１００は、さらに、取得された要求において指定される対象の記事ＩＤに基づいて、記憶部１３に記憶された記事情報の中から対象の記事ＩＤが付与された対象の記事情報を選択する選択処理を行う情報処理部１２を備え、通信部１１は、さらに、選択された対象の記事情報を情報端末２０に送信してもよい。情報処理部１２は、第三選択部の一例である。
【０１３６】
これにより、中継サーバ１０は、対象の記事情報を情報端末２０に提供することができる。
【０１３７】
また、動作例１〜３のように、対象の記事情報は、番組紐付けＩＤが付与された状態で記憶部１３に記憶されてもよい。情報処理部１２は、要求が取得された場合に、記憶部１３に記憶された番組情報のうち、対象の記事情報に付与された番組紐付けＩＤと同じ番組情報ＩＤが付与された番組情報を、第一番組情報として選択してもよい。
【０１３８】
これにより、録画再生システム１００においては、近日中に放送予定のテレビ番組に関連する記事が情報端末２０に表示されているときに、情報端末２０から録画再生装置４０への当該テレビ番組の予約録画指示が可能である。
【０１３９】
また、動作例１のように、通信部１１は、第二番組情報に対応するテレビ番組を特定するための番組特定情報を情報端末２０に送信してもよい。通信部１１は、番組特定情報が情報端末２０に送信された後、第二番組情報に対応するテレビ番組の予約録画要求を情報端末２０から取得してもよい。予約録画要求が取得された場合、通信部１１は、第二番組情報に対応するテレビ番組を特定するための番組特定情報を録画再生装置４０に送信することにより、当該テレビ番組の予約録画を録画再生装置４０に指示してもよい。
【０１４０】
このように、番組特定情報が情報端末２０に送信されれば、情報端末２０から録画再生装置４０への当該テレビ番組の予約録画指示が可能である。
【０１４１】
また、動作例１及び動作例２の変形例のように、選択処理の後、第二番組情報及び第三番組情報が、第一番組情報の中に含まれないと情報処理部１２によって判断された場合、通信部１１は、選択された対象の記事情報を情報端末２０に送信しなくてもよい。
【０１４２】
これにより、再生も予約録画もできない記事が表示部２１に表示されることが抑制される。
【０１４３】
また、動作例４及び動作例５のように、対象の記事情報は、番組紐付けＩＤが付与されていない状態で記憶部１３に記憶されていてもよい。録画再生システム１００は、さらに、通信部１１によって対象の記事情報が送信された後、対象の記事情報の番組紐付けＩＤを通知するＩＤ通知情報を取得する通信部１１を備えてもよい。情報処理部１２は、要求が取得された場合に、記憶部１３に記憶された番組情報のうち、ＩＤ通知情報によって通知された対象の記事情報の番組紐付けＩＤと同じ番組情報ＩＤが付与された番組情報を、第一番組情報として選択してもよい。通信部１１は、第三取得部の一例である。
【０１４４】
これにより、録画再生システム１００においては、放送予定がかなり先のテレビ番組に関連する記事が情報端末２０に表示されているときに、情報端末２０から直接的に録画再生装置４０への当該テレビ番組の予約録画指示を行うことができる。
【０１４５】
また、動作例４及び動作例５のように、通信部１１は、対象の記事情報が情報端末２０に送信された後、対象の記事情報に関連するテレビ番組の予約録画要求を情報端末２０から取得してもよい。予約録画要求が取得された場合、通信部１１は、第二番組情報に対応するテレビ番組を特定するための番組特定情報を録画再生装置に送信することにより、当該テレビ番組の予約録画を前記録画再生装置に指示してもよい。
【０１４６】
このように、番組特定情報が情報端末２０に送信されれば、情報端末２０から間接的に録画再生装置４０への当該テレビ番組の予約録画指示を行うことができる。
【０１４７】
また、動作例５のように、ＩＤ通知情報は、番組紐付けＩＤが付与された対象の記事情報であってもよい。
【０１４８】
このように、録画再生システム１００においては、番組紐付けＩＤが付与された対象の記事情報がＩＤ通知情報として使用されることにより、放送予定がかなり先のテレビ番組に関連する記事が情報端末２０に表示されているときに、情報端末２０から直接的に録画再生装置４０への当該テレビ番組の予約録画指示を行うことができる。
【０１４９】
また、動作例４のように、録画再生システム１００は、さらに、取得されたＩＤ通知情報に基づいて、記憶部１３に記憶された対象の記事情報を、番組紐付けＩＤが付与された状態に更新する情報処理部１２を備えてもよい。情報処理部１２は、更新部の一例である。
【０１５０】
このように、録画再生システム１００においては、対象の記事情報が番組紐付けＩＤが付与された状態に更新されることにより、放送予定がかなり先のテレビ番組に関連する記事が情報端末２０に表示されているときに、情報端末２０から直接的に録画再生装置４０への当該テレビ番組の予約録画指示を行うことができる。
【０１５１】
また、録画再生システム１００は、通信部１１、情報処理部１２、及び記憶部１３を有する中継サーバ１０を備えてもよい。録画再生システム１００は、さらに、記事情報を中継サーバ１０に配信する記事配信サーバ３０と、録画再生装置４０と、情報端末２０とを備えてもよい。中継サーバ１０は、第一サーバ装置の一例であり、記事配信サーバ３０は、第二サーバ装置の一例である。
【０１５２】
このように、中継サーバ１０、記事配信サーバ３０、録画再生装置４０、及び情報端末２０によって構成された録画再生システム１００においては、テレビ番組に関連する記事が情報端末２０に表示されているときに、情報端末２０から直接的に録画再生装置４０への当該テレビ番組の予約録画指示を行うことができる。
【０１５３】
また、情報端末２０は、ユーザの操作を受け付けるタッチパネル２２と、表示部２１と、受け付けられた操作に基づいてテレビ番組に関連する記事を表示部２１に表示するための記事情報の要求を送信する端末通信部２４と、制御部２３とを備える。制御部２３は、要求に対する応答であって記事情報が含まれる応答を端末通信部２４が受信した場合、応答にテレビ番組を特定するための番組特定情報が含まれているか否かを判断する。制御部２３は、応答に番組特定情報が含まれていると判断した場合、記事に加えて再生アイコン２７及び予約録画アイコン２８の少なくとも一方を表示部２１に表示させる。制御部２３は、応答に番組特定情報が含まれていないと判断した場合、表示部２１に、記事に加えて予約録画アイコン２８を表示させ、再生アイコン２７を表示させない。タッチパネル２２は、操作受付部の一例であり、端末通信部２４は、通信部の一例である。
【０１５４】
これにより、情報端末２０は、再生可能なテレビ番組の有無、及び、予約録画可能なテレビ番組の有無に基づいて適切にＧＵＩを表示することができる。
【０１５５】
また、録画再生システム１００が実行する送信方法は、ユーザの録画再生装置４０から、当該録画再生装置４０に録画されたテレビ番組を示す録画番組情報、及び、録画再生装置が受信可能なチャンネル情報を含む機器情報を取得し、対象の記事ＩＤが指定された要求を、情報端末２０から取得し、要求が取得された場合に、記憶部１３に記憶された番組情報に付与された番組紐付けＩＤを参照することにより、対象の記事ＩＤに対応する第一番組情報を、記憶部１３に記憶された番組情報の中から選択し、機器情報に基づいて、録画再生装置４０によって受信可能な将来放送予定のテレビ番組の第二番組情報、及び、録画再生装置４０に録画されているテレビ番組の第三番組情報の少なくとも一方を、第一番組情報の中から選択し、選択された第二番組情報に対応するテレビ番組及び第三番組情報に対応するテレビ番組の少なくとも一方を特定するための番組特定情報を、情報端末２０または録画再生装置４０に送信する。
【０１５６】
このような送信方法によれば、テレビ番組に関連する記事が情報端末２０に表示されているときに、情報端末２０から録画再生装置４０への当該テレビ番組の予約録画指示が可能である。
【０１５７】
また、情報端末２０が実行する表示方法は、受け付けられた操作に基づいてテレビ番組に関連する記事を表示部２１に表示するための記事情報の要求を送信し、要求に対する応答であって記事情報が含まれる応答を受信した場合、応答にテレビ番組を特定するための番組特定情報が含まれているか否かを判断し、応答に番組特定情報が含まれていると判断した場合、記事に加えて再生アイコン２７及び予約録画アイコン２８の少なくとも一方を表示部２１に表示させ、応答に番組特定情報が含まれていないと判断した場合、表示部２１に、記事に加えて予約録画アイコン２８を表示させ、再生アイコン２７を表示させない。
【０１５８】
このような表示方法によれば、再生可能なテレビ番組の有無、及び、予約録画可能なテレビ番組の有無に基づいて適切にＧＵＩを表示することができる。
【０１５９】
（その他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１６０】
そこで、以下、他の実施の形態をまとめて説明する。
【０１６１】
上記実施の形態では、録画再生システムには、中継サーバ、情報端末、記事配信サーバ、及び、録画再生装置などの複数の装置が含まれた。しかしながら、録画再生システムは、単一の装置として実現されてもよい。例えば、録画再生システムは、中継サーバの機能のみを有する単一のサーバ装置として実現されてもよいし、記事配信サーバ及び中継サーバの機能を包括した単一のサーバ装置として実現されてもよい。
【０１６２】
また、録画再生システムが備える各構成要素をどの装置が備えるかについては適宜変更されてもよい。例えば、中継サーバが備える構成要素の一部を、記事配信サーバが備えてもよいし、中継サーバ及び記事配信サーバ以外の他の装置が備えてもよい。
【０１６３】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１６４】
また、上記実施の形態において、装置間の情報の送受信に用いられる通信ネットワークは、特に限定されるものではなく、有線または無線のどのような通信ネットワークが用いられてもよい。
【０１６５】
また、上記実施の形態において説明された録画再生システムの動作における複数の処理の順序は一例である。複数の処理の順序は、変更されてもよいし、複数の処理のうち一部の処理が並行して実行されてもよい。
【０１６６】
また、本開示の包括的または具体的な態様は、システムおよび装置に限定されるものではなく、方法として実現されてもよい。また、本開示の包括的または具体的な態様は、集積回路、コンピュータプログラムまたはコンピュータ読み取り可能なＣＤ−ＲＯＭなどの記録媒体で実現されてもよい。例えば、本開示は、上記実施の形態で説明された送信方法をコンピュータに実行させるためのプログラムとして実現されてもよいし、上記実施の形態で説明された表示方法をコンピュータに実行させるためのプログラムとして実現されてもよい。
【０１６７】
以上のように、本開示における技術の例示として、実施の形態を説明した。そのために、添付図面および詳細な説明を提供した。
【０１６８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６９】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７０】
本開示は、テレビ番組に関連する記事が情報端末に表示されているときに、情報端末から録画再生装置への当該テレビ番組の予約録画指示または再生指示が可能な録画再生システムとして有用である。
【符号の説明】
【０１７１】
１０  中継サーバ
１１、３１、４１  通信部
１２  情報処理部
１３、４３  記憶部
２０  情報端末
２１  表示部
２２  タッチパネル
２３  制御部
２４  端末通信部
２５  端末記憶部
２７  再生アイコン
２８  予約録画アイコン
３０  記事配信サーバ
３２  配信制御部
３３  記事情報記憶部
４０  録画再生装置
４２  録再制御部
５０  通信ネットワーク
１００  録画再生システム
【図１】
2020178365.tif 000003
【図２】
2020178365.tif 000004
【図３】
2020178365.tif 000005
【図４】
2020178365.tif 000006
【図５】
2020178365.tif 000007
【図６】
2020178365.tif 000008
【図７】
2020178365.tif 000009
【図８】
2020178365.tif 000010
【図９】
2020178365.tif 000011
【図１０】
2020178365.tif 000012
【図１１】
2020178365.tif 000013
【図１２】
2020178365.tif 000014
【図１３】
2020178365.tif 000015
【図１４】
2020178365.tif 000016
【図１５】
2020178365.tif 000017
【図１６】
2020178365.tif 000018
【図１７】
2020178365.tif 000019